(57)【要約】【課題】大きなスペースを必要とすることなく視力測定が可能な視力測定方法を提供することを課題とする。【解決手段】視力測定用の視標３、４をモニタ１０に表示する表示ステップと、前記モニタ１０に対して独立別個に設けられた倍率１倍未満の光学系２０を用いて、前記表示ステップにおいてモニタ１０に表示された視標３、４を視認する視認ステップと、前記視認ステップにおける視認結果に基づいて視力を判定する判定ステップとを含むことを特徴とする視力測定方法を提供する。【選択図】図１
2008061695.tif 000002
【特許請求の範囲】
【請求項１】
視力測定用の視標をモニタに表示する表示ステップと、
前記モニタに対して独立別個に設けられた倍率１倍未満の光学系を用いて、前記表示ステップにおいてモニタに表示された視標を視認する視認ステップと、
前記視認ステップにおける視認結果に基づいて視力を判定する判定ステップとを含むことを特徴とする視力測定方法。
【発明の詳細な説明】
【技術分野】
【０００１】
本発明は、大きなスペースを必要とすることなく視力測定が可能な視力測定方法に関する。
【背景技術】
【０００２】
従来、視力測定は、ランドルト環等の視力測定用の視標が描かれた紙やプラスチック板の視力表を用いて行われることが一般的である。視力には、被験者から離れた位置における遠方視力と、被験者の近くの位置における近方視力とが有る。近視者用の眼鏡の度数の決定には、遠方視力が用いられるのが一般的である。これは、近視者用の眼鏡が、眼鏡の使用者から離れた位置における視界を良好にするものであるためである。かかる遠方視力の測定は、眼の中の水晶体の厚みを変化させる調整力の影響を殆ど無視できる距離、例えば、５ｍ離れた位置から視力表を視認して行われる。そのため、遠方視力の測定には、大きなスペースが必要である。
【０００３】
一方、近方視力の測定は、近くから視力表を視認して行われるので、大きなスペースは不要であるが、近方視力は、調整力の影響が大きく、この調整力は個人差が有るため、近方視力から遠方視力を予測することは困難である。
【０００４】
従って、眼鏡の度数の決定には、大きなスペースを必要とする遠方視力の測定が必要である。このようなスペースは、常時確保しておいても良いが、視力測定時以外にはデッドスペースとなり、スペースの有効利用が図れない。一方、視力測定時にのみ、このようなスペースを確保しようとすると、視力測定の度に什器等を移動させたりする必要が有り、視力測定に手間がかかる。
【発明の開示】
【発明が解決しようとする課題】
【０００５】
本発明は、かかる従来技術の問題点を解決するべくなされたものであり、大きなスペースを必要とすることなく視力測定が可能な視力測定方法を提供することを課題とする。
【課題を解決するための手段】
【０００６】
前記課題を解決するべく、本発明は、視力測定用の視標をモニタに表示する表示ステップと、前記モニタに対して独立別個に設けられた倍率１倍未満の光学系を用いて、前記表示ステップにおいてモニタに表示された視標を視認する視認ステップと、前記視認ステップにおける視認結果に基づいて視力を判定する判定ステップとを含むことを特徴とする視力測定方法を提供する。
【０００７】
本発明の視力測定方法によれば、視力測定は、倍率１倍未満の光学系を用いて視標を視認することで行われる。倍率１倍未満の光学系を用いて視標を視認することで、視標が実際よりも遠くにあるように見え、実際の距離よりも遠い位置における視力を測定することができる。そのため、本発明の視力測定方法によれば、大きなスペースが無くても、遠方視力の測定を行うことができる。また、上記のような倍率が１倍未満の光学系は、例えば既存の望遠鏡の対物レンズと接眼レンズとを逆さまにして用いることができる（つまり、対物レンズを被験者の目に当てる）他、専用の光学素子を作製するにしても容易に且つ比較的に安価に製造できる。そして、視標を表示するモニタは、視標を表示するための専用のモニタに限られず、例えばパソコンのモニタ等、他の用途にも使用可能なモニタを使うことができる。よって、他の用途にも使用可能なモニタがあれば、視力測定のために新たなモニタを購入しなくてもよい。従って、本発明の視力測定方法によれば、小さなスペースで、且つ、安価に視力測定をすることができる。さらに、本発明の視力測定方法においては、視標をモニタに表示して視力測定を行うため、キーボードやマウス等の操作手段を使用することで、モニタに表示される視標の切替えを容易に行うことができる。従って、様々な視標を用いながら素早く視力測定を行うことができる。
【０００８】
また、同じ視標を用いて視力測定を行い続けると、被検者が視標の形状を覚えてしまうので、これを防止するために視標の変更が行われることがある。本発明の視力測定方法は、モニタに表示される視標の切替えを容易に行うことができるので、被検者が視標の形状を覚えてしまうことを防止しつつ、視力測定を素早く行うことができる。
【発明の効果】
【０００９】
本発明によれば、大きなスペースを必要とすることなく視力測定が可能な視力測定方法を提供することができる。
【発明を実施するための最良の形態】
【００１０】
以下、本発明の一実施形態に係る視力測定方法について、添付図面を参照して説明する。図１は、本実施形態に係る視力測定方法により、被験者Ａの視力測定が行われている場面を示す図である。本実施形態では、被験者Ａの視力測定は、眼鏡販売店の定員等のオペレータによって行われる。
【００１１】
本実施形態に係る視力測定方法は、モニタ１０と光学系２０とを用いて行われる。本実施形態においては、モニタ１０には、パソコンのモニタが用いられている。図２は、パソコン１の機能ブロック図である。図２に示すように、かかるパソコン１には、モニタ１０の他、視標をモニタ１０に表示するための表示用データを記憶する記憶手段１１と、キーボードやマウス等の操作手段１２と、操作手段１２の操作内容に基づいて、モニタ１０の表示を制御する制御手段１３とを備えている。
【００１２】
モニタ１０の種類は、限定されるものでなく、液晶モニタやＣＲＴ（Cathode ray tube）モニタ等を用いることができる。尚、本実施形態における視力測定においては、被験者Ａとオペレータとが視認するモニタが同一であっても、別個であっても良い。但し、別個のモニタを視認する場合は、それぞれのモニタに同じ内容が表示されるものとする。
【００１３】
記憶手段１１は、パソコン１に内蔵されたハードディスク、ＲＡＭ（Random Access Memory）、ＲＯＭ（Read only Memory）や、パソコン１のＣＤドライブやＤＶＤドライブに読み取られるＣＤ−ＲＯＭ、ＤＶＤ等によって実現される。図３は、モニタ１０の模式図であり、（ａ）は、第１の視力表３１が表示されたモニタ１０の模式図を示し、（ｂ）は、第２の視力表４１が表示されたモニタ１０の模式図を示す。かかる記憶手段１１には、図３（ａ）に示すように、複数のランドルト環の視標３から構成される第１の視力表３１をモニタ１０に表示するための第１の視力表の表示用データと、図３（ｂ）に示すように、複数の平仮名の視標４から構成される第２の視力表４１をモニタ１０に表示するための第２の視力表の表示用データとが記憶されている。第１の視力表の表示用データは、複数のランドルト環の視標３の表示用データが含まれ、第２の視力表の表示用データは、複数の平仮名の視標４の表示用データが含まれている。ランドルト環及び平仮名のそれぞれの視標３、４には、視力０．１〜２．０までの範囲において、０．１、０．２、０．３・・・２．０等の複数の視力に対応した大きさのものがある。さらに、各視力に対応した大きさのランドルト環及び平仮名のそれぞれの視標３、４は、３種類又は４種類ある。具体的には、視力０．１に対応した大きさのものが３種類、他の視力（０．２〜２．０）に対応した大きさのものが４種類ある。
【００１４】
制御手段１３は、パソコン１に内蔵されたＣＰＵと、第１の視力表３１及び第２の視力表４１をモニタ１０に表示するプログラムと、モニタ１０のドライバ等によって実現される。このようなプログラムやドライバは、パソコン１のハードディスク、ＲＡＭ、ＲＯＭや、パソコン１のＣＤドライブやＤＶＤドライブに読み取られるＣＤ−ＲＯＭ、ＤＶＤ等に記憶されている。かかる制御手段１３は、操作手段１２の操作内容に基づいて、記憶手段１１から第１の視力表３１及び第２の視力表４１の表示用データを読み出して、第１の視力表３１又は第２の視力表４１をモニタ１０に表示する。
【００１５】
第１の視力表３１及び第２の視力表４１をモニタ１０に表示する際に、制御手段１３は、図３（ａ）及び（ｂ）に示すように、モニタ１０に、ポインタ５と、スクロールボタン６と、切替ボタン７とを表示する。
【００１６】
ポインタ５は、操作手段１２の操作内容に基づいてモニタ１０上を移動し、モニタ１０に表示された視標３、４、スクロールボタン６、切替ボタン７等を指すために用いられる。操作手段１２の操作内容に基づくポインタ５の移動は、制御手段１３によって行われる。制御手段１３は、ポインタ５によって指された視標３、４の周囲３２、４２を、他の視標３、４の周囲と異なる色で表示する。
【００１７】
スクロールボタン６は、モニタ１０に表示された第１の視力表３１及び第２の視力表４１をスクロールさせるために用いられる。制御手段１３は、ポインタ５によってスクロールボタン６が指されると、第１の視力表３１及び第２の視力表４１をスクロールさせて、第１の視力表３１及び第２の視力表４１のうちモニタ１０に表示されていない部分をモニタ１０に表示させる。例えば、図３（ａ）及び（ｂ）に示すように、第１の視力表３１及び第２の視力表４１の視力０．１〜０．５に対応した部分しかモニタ１０に表示されていない場合、スクロールボタン６がポインタ５で指されると、第１の視力表３１及び第２の視力表４１の視力０．６以上に対応した部分がモニタ１０に表示される。
【００１８】
切替ボタン７は、モニタ１０に表示された視力表の切替えのために用いられる。具体的には、制御手段１３は、第１の視力表３１をモニタ１０に表示しているときに、ポインタ５によって切替ボタン７が指されると、モニタ１０に表示される視力表を第２の視力表４１に切替える。また、制御手段１３は、第２の視力表４１をモニタ１０に表示しているときに、ポインタ５によって切替ボタン７が指されると、モニタ１０に表示される視力表を第１の視力表３１に切替える。
【００１９】
一方、光学系２０は、モニタ１０に対して独立別個に設けられ、倍率が１倍未満である。視力測定をする被験者Ａは、かかる光学系２０を用いて、モニタ１０に表示された視標３、４を視認する。倍率１倍未満の光学系２０を用いて視標３、４を視認することで、視標３、４が実際よりも遠くにあるように見えるため、視標３、４までの実際の距離よりも遠い位置における視力測定を行うことができる。ここで、被験者ＡからＸ（ｍ）離れた位置における視力測定を行う場合、光学系２０の倍率及びモニタ１０から被験者Ａまでの距離の関係は、概ね次式（１）の関係となる。
（モニタ１０から被験者Ａまでの距離）／（光学系２０の倍率）＝Ｘ（ｍ）・・・（１）
【００２０】
かかる光学系２０は、例えば、既存の望遠鏡の対物レンズと接眼レンズとを逆さまにして用いることができる。光学系２０に既存の望遠鏡を用いる場合、被験者Ａは、対物レンズを目に当て、接眼レンズをモニタ１０側に向けて、モニタ１０に表示された視標３、４を視認する。
【００２１】
かかる光学系２０に用いることができる望遠鏡は、接眼レンズと対物レンズとを１つずつ備えた単眼鏡や、左目用と右目用の接眼レンズと対物レンズとを備えた双眼鏡を挙げることができる。双眼鏡を用いる場合は、モニタ１０を片目ずつ視認できるようなものが好ましい。好ましい一例として、左右の対物レンズが、それぞれ蓋を被せることができる構成を挙げることができる。即ち、左目用の対物レンズに蓋を被せると、右目のみでしかモニタ１０を視認できず、右目用の対物レンズに蓋を被せると、左目のみでしかモニタ１０を視認できないものである。
【００２２】
尚、光学系２０には、既存の望遠鏡に限らず、例えば、本実施形態に係る視力測定方法にのみ用いられる光学素子を用いてもよい。このように、本実施形態に係る視力測定方法にのみ用いられる光学素子を作製するにしても、倍率が１倍未満の光学素子を作製することは、容易且つ比較的に安価である。そのため、本実施形態に係る視力測定方法で視力測定を行うに際して、専用の光学素子を使用する場合であっても、経済的負担が少ない。
【００２３】
以上に説明したパソコン１及び光学系２０を用いて行われる本実施形態に係る視力測定方法ついて説明する。まず、オペレータ及び被験者Ａは、視力測定のための準備を行う。オペレータが行う準備は、パソコン１の操作手段１２を操作して、第１の視力表３１又は第２の視力表４１をモニタ１０に表示する。尚、ここでは、第１の視力表３１を表示するものとする。モニタ１０に表示される視標３の大きさは、紙やプラスチック板の視力表に描かれる視標と同じ大きさである。例えば、５ｍ視力表を用いて行う視力測定を本実施形態に係る視力測定方法で実施する場合は、視力１．０に対応するランドルト環の視標３は、直径が７．５ｍｍ、太さが１．５ｍｍ、切れ目の幅が１．５ｍｍである。このように、第１の視力表３１がモニタ１０に表示されれば、上述のように、ポインタ５、スクロールボタン６及び切替ボタン７もモニタ１０に表示される。
【００２４】
一方、被験者Ａが行う準備は、モニタ１０の正面に座り、光学系２０を用いて、左右の何れか一方の目でモニタ１０を視認できる状態にする。光学系２０に単眼鏡を用いる場合は、左右何れかの一方の目を単眼鏡の対物レンズに当て、他方の目でモニタ１０が視認できないように他方の目を遮眼具等で覆う。また、光学系２０に双眼鏡を用いる場合は、左右何れかの他方の対物レンズに蓋を被せて、一方の目でモニタ１０を視認できる状態とする。
【００２５】
オペレータと被験者Ａとの準備が完了すると、オペレータは、操作手段１２を操作して、ポインタ５で所定の視標３を指す（図３（ａ）では、視力０．２に対応する視標３が指されている）。ポインタ５が所定の視標３を指すと、ポインタ５によって指された視標３の周囲３２が、他の視標３の周囲と異なる色で表示される。ポインタ５で指された視標３の周囲３２が、他の視標３の周囲と異なる色で表示されると、オペレータは、被験者Ａに対して、視標３の切れ目の向きを問う。この問いに対して、被験者Ａは、周囲３２が他の視標３の周囲と異なる色で表示されている視標３の切れ目の向きを答える。被験者Ａが視標３の切れ目の向きを正しく答えられるか否かに基づいて視力が判定される。
【００２６】
また、第１の視力表３１を構成する視標３のうち、モニタ１０に表示されていない視標３について、上記の応答を行う場合は、オペレータは、スクロールボタン６をポインタ５で指して、第１の視力表３１をスクロールさせ、表示されていない視標３をモニタ１０に表示させる。そして、オペレータは、表示された視標３をポインタ５で指し、被験者に視標３の切れ目の向きを問う。
【００２７】
また、第１の視力表３１だけでなく、第２の視力表４１を用いて視力測定を行いたい場合は、オペレータは、モニタ１０の下端に表示される切替ボタン７をポインタ５で指し、第２の視力表４１をモニタ１０に表示させる。これにより、第２の視力表４１が表示され、第２の視力表４１によって視力測定を行うことができる。尚、第２の視力表４１を用いての視力の判定は、オペレータが視標４の文字を被験者Ａに問い、被験者Ａが正しく答えられるか否かに基づいて行われる。
【００２８】
以上のような応答を様々な大きさの視標３、４について行うことで、視力測定をすることができる。例えば、オペレータは、被験者Ａが切れ目の向きを正しく答えた視標３と、被験者Ａが文字を正しく答えた視標４のうち、対応する視力が最も高い視力を被験者Ａの一方の目の視力と判定する。
【００２９】
このようにして、一方の目の視力測定が終わると、他方の目についても同様にして視力測定を行う。
【００３０】
以上のように、本実施形態に係る視力測定方法によれば、視力測定が、倍率１倍未満の光学系２０を介して視標３、４を視認することで行われる。倍率１倍未満の光学系２０を介して視標３、４を視認することで、視標３、４が実際よりも遠くにあるように見える。具体的には、光学系２０及びモニタ１０から被験者Ａまでの距離は、上記式（１）の関係となり、視標３、４を５ｍ離れて視認しなくても、５ｍ離れた位置における遠方視力の視力測定を行うことができる。式（１）に基づくと、例えば、被験者Ａから５ｍ離れた位置における遠方視力を測定する場合は、光学系２０の倍率が０．１倍であると、モニタ１０から被験者Ａまでの距離は、５０ｃｍとなる。通常、パソコン１の使用者は、モニタ１０から５０ｃｍ程度離れてモニタ１０を見るので、倍率が０．１倍の光学系２０を用いると、パソコン１が使用可能なスペースがあれば、５ｍ離れた位置における遠方視力を測定することができる。そのため、本実施形態に係る視力測定方法によれば、大きなスペースが無くても、遠方視力の視力測定を行うことができる。また、光学系２０の倍率を小さくすればするほど、視標が遠くにあるように見える。そのため、光学系２０の倍率を小さくすれば、より近くから視標３、４を視認して視力測定を行うことができ、より小さなスペースで視力測定が可能となる。
【００３１】
また、視標３、４を表示するモニタ１０には、視標３、４を表示するための専用のモニタに限られず、パソコンのモニタ等、他の用途にも使用可能なモニタを用いることができる。よって、他の用途にも使用可能なモニタがあれば、視力測定のために新たなモニタを購入しなくてもよい。従って、本実施形態の視力測定方法は、安価に視力を測定することができる。さらに、本実施形態の視力測定方法では、第１の視力表３１及び第２の視力表４１をモニタ１０に表示して視力測定を行うため、操作手段１２を用いてポインタ５で切替ボタン７を指すだけで、モニタ１０に表示される視力表の切替えを行うことができる。従って、複数の視力表を用いながら素早く視力測定を行うことができる。
【００３２】
尚、本実施形態では、２種類の視力表を用いて視力測定を行うことができるが、記憶手段１１に３種類以上の視力表の表示用データを記憶させることで、３種類以上の視力表を用いて視力測定を行うこともできる。多種類の視力表を用いて視力測定を行うと、視力測定中に被検者が視標の形状を覚え難く、視力測定を正確に行い易くなる。また、本実施形態では、第１の視力表３１はランドルト環の視標３から構成され、第２の視力表４１は平仮名の視標４から構成されているが、第１の視力表３１及び第２の視力表４１は、共に、ランドルト環の視標３又は平仮名の視標４から構成されても良い。
【００３３】
本実施形態においては、オペレータが、被験者Ａの視力を判定しているが、視力の判定は、自動的に行われるようにしても良い。以下に、視力の判定が自動的に行われる方法について説明する。
【００３４】
被験者Ａは、自ら操作手段１２を操作して、モニタ１０に第１の視力表３１を表示し、光学系２０を用いて一方の目でモニタ１０を視認できる状態とする。ここでは、ポインタ５、スクロールボタン６及び切替ボタン７はモニタ１０に表示されないものとする。被験者Ａの操作に基づいて第１の視力表３１をモニタ１０に表示すると、制御手段１３は、例えば、最も低い視力（例えば、視力０．１）に対応する視標３のうち１つの視標３の周囲３２を、他の視標３の周囲と異なる色で表示する。
【００３５】
被験者Ａは、異なる色で周囲３２が表示された視標（ランドルト環）３の切れ目の向きをパソコン１に入力する。この入力は、例えば、操作手段１２を構成するキーボードのカーソルキーや、マイクからの音声入力などで行うことができる。制御手段１３は、入力された方向が正しいか否かを判定する。正しいと判定すると、制御手段１３は、周囲３２を異なる色で表示する指標３をより高い視力に対応する指標３に変更し、より高い視力に対応する視標３の切れ目の向きを被験者Ａに答えさせる。一方、入力された方向が正しくないと判定すると、制御手段１３は、現在、異なる色で周囲３２が表示された視標３と対応する視力よりも１段階低い視力を被験者Ａの視力と判定する。
【００３６】
このように視力が自動的に判定されれば、被験者Ａが一人で視力測定を行うことができるので、例えば、視力測定を被験者Ａが自宅等で行うことができる。
【００３７】
尚、第１の視力表３１を用いて自動的に視力の判定を行う方法について説明したが、第２の視力表４１を用いて自動的に視力の判定を行っても良い。
【００３８】
以上においては、視標を表示するモニタに、パソコン１のモニタ１０を用いているが、視標を表示するモニタは、限定されず、例えば、視標を表示するための専用のモニタや、その他、他の目的での使用が可能なモニタであっても良い。また、視標は、ランドルト環や平仮名に限定されるものでなく、片仮名や双魚視標であっても良い。
【図面の簡単な説明】
【００３９】
【図１】図１は、本実施形態に係る視力測定方法により、被験者の視力測定が行われている場面を示す図である。
【図２】図２は、パソコンの機能ブロック図である。
【図３】図３は、モニタの模式図であり、（ａ）は、第１の視力表が表示されたモニタの模式図を示し、（ｂ）は、第２の視力表が表示されたモニタの模式図を示す。
【符号の説明】
【００４０】
１  パソコン、  １０・・・モニタ、  ２０・・・光学系、Ａ・・・被験者
【図１】
2008061695.tif 000003
【図２】
2008061695.tif 000004
【図３】
2008061695.tif 000005